(57)【要約】      （修正有）【課題】肌触りがよく、薄くて軽くて、通気性があり、デザイン、シボの立体感と相俟ってファッション性に富み、着用時の接圧感が心地よい筒状伸縮ガーゼ織物を提供する。【解決手段】ガーゼ織物からなる筒状体の長手方向に５〜５０ｍｍの間隔で、伸縮糸２が打ち込まれており、筒状体表面に多数のシボ３が形成され、筒状体端部Ｇが伸縮糸２で織成されている。ガーゼ織物が、１重および／または多重織ガーゼ織物であり、またシボが、筒状体表面平方インチあたり５〜３０個形成されているのが望ましい。【選択図】図１
0003188100.tif 000002
【実用新案登録請求の範囲】
【請求項１】
ガーゼ織物からなる筒状体の長手方向に５〜５０ｍｍの間隔で、伸縮糸２が打ち込まれており、筒状体表面に多数のシボ３が形成され、筒状体端部Ｇが伸縮糸２で織成されていることを特徴とする筒状伸縮ガーゼ織物。
【請求項２】
筒状体端部Ｇが、１０〜８０ｍｍである請求項１に記載の筒状伸縮ガーゼ織物。
【請求項３】
ガーゼ織物が、１重および／または多重織ガーゼ織物である請求項１または２に記載の筒状伸縮ガーゼ織物。
【請求項４】
シボ３が、筒状体表面平方インチあたり５〜３０個形成されている請求項１乃至３のいずれかに記載の筒状伸縮ガーゼ織物。
【考案の詳細な説明】
【技術分野】
【０００１】
本考案は筒状伸縮ガーゼ織物に関する。殊に、薄くて、軽く、ファッション性があり、腹巻、帽子あるいはマスク等になる多機能性に優れた筒状伸縮ガーゼ織物に関する。
【背景技術】
【０００２】
従来、伸縮性のある筒状体として、腹巻が知られている。
【０００３】
これら従来から知られる腹巻の例として、例えば特許文献１（特開平８−１１３８０２号公報）の例がある。この事例は、表糸と裏糸の間にゴム糸を全体に配設させて筒体が編み上げられ、裏糸として弾性糸が用いられ、筒体の内面は、表糸による大ループ編目が連続するパイル編地とした腹巻が記載されている。しかしながら、この腹巻は、比較的厚手で、蒸れやすく、着用時の接圧感がもうひとつであり、ファッション性が少ない。
【０００４】
また、他の事例として、例えば特許文献２（特開２００３−２２１７０３号公報）の例がある。この文献２には、就寝時に生じる腹巻のずれを解消するとともに、腹部は基より臀部や下腹部全体を広範囲に保温することができる腹巻が記載されている。
【０００５】
しかしながら、特許文献２は、特許文献１と同様に、素材は編地からなり、厚手で、蒸れやすく、着用時の接圧感がもうひとつであり、ファッション性が少ない。
【先行技術文献】
【特許文献】
【０００６】
【特許文献１】特開平８−１１３８０２号公報
【特許文献２】特開２００３−２２１７０３号公報
【考案の概要】
【考案が解決しようとする課題】
【０００７】
本考案は、肌触りがよく、薄くて軽くて、通気性があり、デザイン、シボの立体感と相俟ってファッション性に富み、着用時の接圧感が心地よいガーゼ織物を提供すること、例えば腹巻、帽子あるいはマスク等に用いた場合、好適な筒状伸縮ガーゼ織物を提供することを課題とする。
【課題を解決するための手段】
【０００８】
上記課題を解決する手段、即ち本考案の構成は、ガーゼ織物からなる筒状体の長手方向に５〜５０ｍｍの間隔で、伸縮糸２が打ち込まれており、筒状体表面に多数のシボ３が形成され、筒状体端部Ｇが伸縮糸２で織成されていることを特徴とする筒状伸縮ガーゼ織物である。
【０００９】
筒状体端部Ｇは、１０〜８０ｍｍであることが望ましい。
【００１０】
ガーゼ織物は、１重および／または多重織ガーゼ織物であることが望ましい。
【００１１】
シボ３は、筒状体表面平方インチあたり５〜３０個形成されていることが望ましい。
【考案の効果】
【００１２】
本考案の筒状伸縮ガーゼ織物は、肌触りがよく、薄くて軽くて、通気性があり、デザイン、シボの立体感と相俟ってファッション性に富み、着用時の接圧感が心地よい特徴を有する。持ち運び、携帯が容易で、例えば腹巻、帽子あるいはマスクに好適であり、その他、ネックウオーマー、マフラーとしても使用ができる。
【図面の簡単な説明】
【００１３】
【図１】本考案の実施例で得られた筒状伸縮ガーゼ織物の斜視図である。
【図２】筒状伸縮ガーゼ織物を帽子にして用いた使用例を示す斜視図である。
【図３】筒状伸縮ガーゼ織物をマスクにして用いた使用例を示す斜視図である。
【図４】本考案の実施例１で得られた織物のシボ形成部分の織物組織図である。
【図５】本考案の実施例１で得られた織物のシボ形成部分の織前から見た断面図を示す図である。
【図６】本考案の実施例１で得られた織物の筒状体端部の組織図である。
【図７】本考案の実施例１で得られた織物の筒状体端部の織前から見た断面図を示す図である。
【考案を実施するための形態】
【００１４】
本考案は、ガーゼ織物からなる筒状体の長手方向に５〜５０ｍｍの間隔で、伸縮糸２が打ち込まれており、筒状体表面に多数のシボ３が形成され、筒状体端部Ｇが伸縮糸２で織成されていることを特徴とする筒状伸縮ガーゼ織物である。
【００１５】
本考案に用いる織物は、１重および／または多重織ガーゼ組織からなる織物であることが望ましい。
【００１６】
本考案では、筒状体の長手方向に５〜５０ｍｍの間隔で、伸縮糸２が打ち込まれている。伸縮糸としては、ストレッチ性を保持する糸であれば、何でも良く、特に限定するものではないが、好ましくはポリウレタン弾性糸がよい。
【００１７】
本考案において、筒状体端部Ｇに打込む伸縮糸の挿入密度は、幅１ｃｍあたり、５〜２０本、好ましくは、８〜１５本とするのが望ましい。
【００１８】
本考案で言う、筒状体織物表面に形成されるシボとは、織物表面につくられる細かい凹凸を言う。表面にシボをつくることにより、立体感と柔らかさを向上させる。
【００１９】
シボ３の個数は、平方インチあたり５〜３０個、特に１０〜２０個形成させるのが望ましい。
【００２０】
ガーゼ織物からなる筒状体の長手方向に５〜５０ｍｍの間隔で伸縮糸２が打込まれ、織物表面に多数のシボ３が形成させる。かかるシボの形成により、筒状体に伸縮糸の収縮力が部分的に働き、立体感が発現すると同時に心地よい着用時の接圧感が得られる。
【００２１】
ここで伸縮糸の打込みの間隔が５ｍｍを下回るとシボの形態が小さくなって、織物の立体感が損なわれる。他方、５０ｍｍを超えるとシボの立体感がなくなってくる。また、ファッション性も低下してくる。
【００２２】
前記、筒状体端部Ｇは１０〜８０ｍｍとするのが好ましい。更には、伸縮糸２で織成されているので、人体のあらゆる部分に、装着が可能でどこでも自在に固定することができる。例えば、マスクとして使用するばあいは、首元に、帽子として使用する場合は頭に心地よく固定することができる。
【００２３】
本考案の筒状伸縮ガーゼ織物を構成する織物に用いるよこ糸および地たて糸は、綿、レーヨン、麻、ウール、絹、アクリル、ポリエステル、ナイロン、ポリエチレン素材からなる糸が用いられる。これらの素材は、とくに限定されることなく、使用目的用途に応じて、適宜選択が可能であるが、特に、綿、麻、絹およびオーガニックコットンが良い。
【実施例】
【００２４】
（実施例１）
タオル織機を用い、二重ビーム（パイルビーム、グランドビーム）、綜絖（ヘルドともいう）枠数１４枚を用い、図４に示す織物組織図に基づいてシボを形成する部分のガーゼ織物を織製した。また、図６に示す織物組織図に基づいて織物の筒状体の伸縮性を有する端部を織製した。
【００２５】
図４、図６のたての１〜４の数字は、よこ糸ピック数を示す。よこの１〜１４の数字は綜絖枠数を示す。Ｐはパイル糸、Ｇはグランド糸を示す。Ａは上げる、Ｓは沈む、を示す。
【００２６】
上記のとおり、織製された織物を、筒状になるように合わせて、接合部を縫合して筒状体を形成した。
【００２７】
筒状態の両端部から４０ｍｍの幅中に、織物の製織段階でポリウレタン弾性糸を挿入した。
【００２８】
筒状態の端部（前記４０ｍｍの伸縮糸打ち込み部を除く）から３ｃｍピッチの間隔に４本のポリウレタン弾性糸を挿入した。
【産業上の利用可能性】
【００２９】
肌触りがよく、薄くて軽くて、通気性があり、シボによる立体感とデザイン、ファッション性に富む織物からなる筒状伸縮ガーゼ織物を提供することが出来る。
【符号の説明】
【００３０】
１：筒状伸縮ガーゼ織物
２：伸縮糸
３：シボ
Ｇ：筒状体端部
【図１】
0003188100.tif 000003
【図２】
0003188100.tif 000004
【図３】
0003188100.tif 000005
【図４】
0003188100.tif 000006
【図６】
0003188100.tif 000007
【図５】
0003188100.tif 000008
【図７】
0003188100.tif 000009
【手続補正書】
【提出日】平成25年10月25日(2013.10.25)
【手続補正１】
【補正対象書類名】実用新案登録請求の範囲
【補正対象項目名】全文
【補正方法】変更
【補正の内容】
【実用新案登録請求の範囲】
【請求項１】
ガーゼ織物からなる筒状体の長手方向に５〜５０ｍｍの間隔で、伸縮糸（２）が打ち込まれており、筒状体表面に多数のシボ（３）が形成され、筒状体端部（Ｇ）が伸縮糸（２）で織成されていることを特徴とする筒状伸縮ガーゼ織物。
【請求項２】
ガーゼ織物が、１重および／または多重織ガーゼ織物である請求項１に記載の筒状伸縮ガーゼ織物。
【請求項３】
シボ（３）が、筒状体表面平方インチあたり５〜３０個形成されている請求項１または２に記載の筒状伸縮ガーゼ織物。